(57)【要約】      （修正有）【課題】カメラ後焦点面の傾斜防止装置を提供する。【解決手段】センサーモジュール２２に運用され、該センサーモジュールをレンズモジュールからなる後焦点面の上に位置させるカメラ後焦点面の傾斜防止装置であって、第１側辺１０１と第２側辺１０２とを備える基台１０と、該基台の第１側辺と該基台の第２側辺の間に設けられるボールネジ１４、及び、ガイド軸１６と、該ボールネジの一端と結合し、コントロールコマンドを受けて該ボールネジの回転方向と回転速度を制御するモータモジュール１２と、該ボールネジの上に取り付けられる穴と該ガイド軸の上に取り付けられるスリーブ１８１とを備え、該センサーモジュールをその上に固設することに用いられ、且つ、該基台上に平行移動できる載置具１８と、該載置具の穴内に固設され、該モータモジュールが作動した時、該ボールネジと交互作用して該載置具を平行移動させて該センサーモジュールと該レンズモジュールの距離を調整する移動部材１８３と、を含む。【選択図】図１
0003193132.tif 000002
【実用新案登録請求の範囲】
【請求項１】
センサーモジュールに運用され、前記センサーモジュールをレンズモジュールからなる後焦点面の上に位置させるカメラ後焦点面の傾斜防止装置であって、
第１側辺と第２側辺とを備える基台と、
前記基台の第１側辺と前記基台の第２側辺の間に設けられるボールネジと、
前記基台の第１側辺と前記基台の第２側辺の間に設けられるガイド軸と、
前記ボールネジの一端と結合し、コントロールコマンドを受けて前記ボールネジの回転方向と回転速度を制御するモータモジュールと、
前記ボールネジの上に取り付けられる穴と前記ガイド軸の上に取り付けられるスリーブとを備え、前記センサーモジュールをその上に固設することに用いられ、且つ、前記基台上に平行移動できる載置具と、
前記載置具の穴内に固設され、前記モータモジュールが作動した時、前記ボールネジと交互作用して前記載置具を平行移動させて前記センサーモジュールと前記レンズモジュールの距離を調整する移動部材と、を含むことを特徴とする、
カメラ後焦点面の傾斜防止装置。
【請求項２】
前記モータモジュールは、超小型モータとトランスミッションとを含むことを特徴とする請求項１に記載のカメラ後焦点面の傾斜防止装置。
【請求項３】
前記載置具は、少なくとも１個の凹溝を含むことを特徴とする請求項１に記載のカメラ後焦点面の傾斜防止装置。
【請求項４】
前記凹溝に設けられる少なくとも１本の支持棒を更に含むことを特徴とする請求項３に記載のカメラ後焦点面の傾斜防止装置。
【請求項５】
前記移動部材は、ナットであることを特徴とする請求項１に記載のカメラ後焦点面の傾斜防止装置。
【請求項６】
前記基台の前側に設けられるフィルタを更に含むことを特徴とする請求項１に記載のカメラ後焦点面の傾斜防止装置。
【請求項７】
センサーモジュールに運用され、前記センサーモジュールをレンズモジュールからなる後焦点面の上に位置させるカメラ後焦点面の傾斜防止装置であって、
第１側辺と第２側辺とを備える基台と、
前記基台の第１側辺と前記基台の第２側辺の間に設けられるボールネジと、
前記基台の第１側辺と前記基台の第２側辺の間に設けられるガイド軸と、
前記ボールネジの一端と結合し、コントロールコマンドを受けて前記ボールネジの回転方向と回転速度を制御するモータモジュールと、
前記ボールネジの上に取り付けられるスリーブと前記ガイド軸の上に取り付けられる穴とを備え、前記センサーモジュールをその上に固設することに用いられ、且つ、前記基台上に平行移動できる載置具と、
前記載置具のスリーブ内に固設され、前記モータモジュールが作動した時、前記ボールネジと交互作用して前記載置具を平行移動させて前記センサーモジュールと前記レンズモジュールの距離を調整する移動部材と、を含むことを特徴とする、
カメラ後焦点面の傾斜防止装置。
【請求項８】
前記モータモジュールは、超小型モータとトランスミッションとを含むことを特徴とする請求項７に記載のカメラ後焦点面の傾斜防止装置。
【請求項９】
前記載置具は、少なくとも１個の凹溝を含むことを特徴とする請求項７に記載のカメラ後焦点面の傾斜防止装置。
【請求項１０】
前記凹溝に設けられる少なくとも１本の支持棒を更に含むことを特徴とする請求項９に記載のカメラ後焦点面の傾斜防止装置。
【請求項１１】
前記移動部材は、ナットであることを特徴とする請求項７に記載のカメラ後焦点面の傾斜防止装置。
【請求項１２】
前記基台の前側に設けられるフィルタを更に含むことを特徴とする請求項７に記載のカメラ後焦点面の傾斜防止装置。
【考案の詳細な説明】
【技術分野】
【０００１】
本考案は、カメラの装置に関し、特に、カメラ後焦点面の傾斜防止装置に関する。
【背景技術】
【０００２】
デジタルカメラの技術発展に伴い、デジタルカメラの運用も徐々に普及してきた。その特長は、リアルタイムで撮影された画像をデジタル方式でデータとして保存或いは伝送することである。
【０００３】
固定型焦点面のデジタルカメラについて言うと、レンズモジュールの焦点面に振動変位が発生した場合、或いは異なるレンズモジュールに交換、又は暗視フィルタ（赤外線）を交換した場合、使用時にデジタルカメラのピント微調整、つまり焦点面の調整を行う必要がある。この問題はカメラの製造業者と販売業者にとって大きな課題となっている。
【０００４】
従来、後焦点面の調整技術（焦点距離とフランジバック調整を含む）は、レンズモジュール内のレンズとレンズの間の距離を移動、或いはレンズモジュールを移動させてレンズモジュールとセンサーモジュールとの間の距離を調整することで、焦点距離調整の目的を達成していた。開放式調整が採用されていたため、正しい位置に調整するのが比較的難しかった。
【考案の概要】
【考案が解決しようとする課題】
【０００５】
従来技術では焦点面調整方法があったが、従来技術の焦点面調整方法は、容易にセンサーモジュールの傾斜が起きるため、長期間使用していると機構上の摩損を招いてしまっていた。これらの焦点面傾斜を調整するニーズについての従来技術の問題点を改良するため、本考案では、平らにして焦点面を調整する目的を達成する、新しい仕組みを提供する。
【課題を解決するための手段】
【０００６】
本考案は、センサーモジュールに運用され、該センサーモジュールをレンズモジュールからなる後焦点面の上に位置させるカメラ後焦点面の傾斜防止装置を提供する。該装置は、第１側辺と第２側辺とを備える基台と、該基台の第１側辺と該基台の第２側辺の間に設けられるボールネジと、該基台の第１側辺と該基台の第２側辺の間に設けられるガイド軸と、該ボールネジの一端と結合し、コントロールコマンドを受けて該ボールネジの回転方向と回転速度を制御するモータモジュールと、該ボールネジの上に取り付けられる穴と該ガイド軸の上に取り付けられるスリーブとを備え、該センサーモジュールをその上に固設することに用いられ、且つ該基台上に平行移動できる載置具と、該載置具の穴内に固設され、該モータモジュールが作動した時、該ボールネジと交互作用して該載置具を平行移動させて該センサーモジュールと該レンズモジュールの距離を調整する移動部材と、を含む。
【０００７】
本考案は、センサーモジュールに運用され、該センサーモジュールをレンズモジュールからなる後焦点面の上に位置させるカメラ後焦点面の傾斜防止装置を別途提供する。該装置は、第１側辺と第２側辺とを備える基台と、該基台の第１側辺と該基台の第２側辺の間に設けられるボールネジと、該基台の第１側辺と該基台の第２側辺の間に設けられるガイド軸と、該ボールネジの一端と結合し、コントロールコマンドを受けて該ボールネジの回転方向と回転速度を制御するモータモジュールと、該ボールネジの上に取り付けられるスリーブと該ガイド軸の上に取り付けられる穴とを備え、該センサーモジュールをその上に固設することに用いられ、且つ該基台上に平行移動できる載置具と、該載置具のスリープ内に固設され、該モータモジュールが作動した時、該ボールネジと交互作用して該載置具を平行移動させて該センサーモジュールと該レンズモジュールの距離を調整する移動部材と、を含む。
【考案の効果】
【０００８】
本考案の効果は、ボールネジとガイド軸を該基台の第１側辺と該基台の第２側辺の間に設け、且つ載置具が、穴とスリーブとを備え、該載置具の穴が該ボールネジ上に取り付けられ、該載置具のスリーブが該ガイド軸に取り付けることで、載置具の重心のバランスが取れ、載置具のセンサーモジュールの前後傾斜を防止でき、平らにして該載置具を平行移動させることで該センサーモジュールと該レンズモジュールの距離を調整できることである。
【０００９】
以下、本考案の上記目的と他の目的、特徴及び利点を更に明確に分かりやすくするため、複数の好ましい実施例を添付図面に基づいて説明する。
【図面の簡単な説明】
【００１０】
【図１】本考案の第１の実施例に係る後焦点面調整装置立体図である。
【図２】本考案の第１の実施例に係る後焦点面調整装置の別の立体図である。
【図３】本考案の第１の実施例に係る後焦点面調整装置の更なる別の立体図である。
【図４】本考案の第２の実施例に係る後焦点面調整装置立体図である。
【考案を実施するための形態】
【００１１】
本考案の創作の特徴は、センサーモジュール２２本体を平行移動させる方法でセンサーモジュール２２を後焦点面（ピントの微調整）に位置させることができることにある。具体的なアプローチとして、センサーモジュール２２を載置具１８上に固定させ、また載置具１８の平行移動を通じてレンズと相対運動させる。載置具１８がどのようにレンズと相対運動するかについて以下に説明する。
【００１２】
図１と図２を参照する。図１と図２は、本考案のセンサーモジュール２２に運用され、該センサーモジュール２２をレンズモジュール４０からなる後焦点面の上に位置させるカメラ後焦点面の傾斜防止装置である。
該装置は、第１側辺１０１と第２側辺１０２とを備える基台１０と、基台１０の第１側辺１０１と該基台１０の第２側辺１０２の間に設けられるボールネジ１４と、基台１０の第１側辺１０１と該基台１０の第２側辺１０２の間に設けられるガイド軸１６と、該ボールネジ１４の一端と結合し、コントロールコマンドを受けて該ボールネジ１４の回転方向と回転速度を制御するモータモジュール１２と、ボールネジ１４の上に取り付けられる穴１８２と、ガイド軸１６の上に取り付けられるスリーブ１８１を備え、該センサーモジュール２２をその上に固設することに用いられ、且つ基台１０上に平行移動できる載置具１８と、該載置具１８の穴１８２内に固設され、モータモジュール１２が作動した時、ボールネジ１４と交互作用して載置具１８を平行移動させてセンサーモジュール２２とレンズモジュール４０の距離を調整する移動部材１８３と、を含む。スリーブ１８１は、一定長を有するスリーブとする。
【００１３】
載置具１８は、少なくとも１個の凹溝１８４を含み、且つ少なくとも１本の支持棒２０が該少なくとも１個の凹溝１８４に置かれ、つまり各支持棒２０が各凹溝１８４上に設けられる。ボールネジ１４は複数のネジ山を有する。
【００１４】
レンズモジュール４０が筐体の外側に固定され、ボールネジ１４が基台１０に固定され、且つ時計回り或いは反時計回りの方向に回転できる。モータモジュール１２が基台１０に固定されてボールネジ１４と結合することでボールネジ１４の回転方向と回転速度を制御する。制御モジュールが基台１０の外側に固定され、モータモジュール１２と電気的に接続し、コントロールコマンドを受けてモータモジュール１２を制御して回転方向と回転速度を発生させる。
【００１５】
載置具１８は、筐体と着脱関係を形成する。センサーモジュール２２が載置具１８に固定され、センサーモジュール２２は画像センサーユニットを含み、被写体によって画像センサーの信号を発生する。ナットが載置具１８に固定されると共にボールネジ１４上に嵌設され、ボールネジ１４が回転した時、載置具１８を平行移動させることでレンズモジュール４０とセンサーモジュール２２の距離を調整し、つまりセンサーモジュール２２を微調整することでレンズモジュール４０からなる後焦点面に位置させることができる。
【００１６】
コントロールモジュールは、コネクタで送ってきた外部のコントロールコマンドを通じてモータモジュール１２の回転速度と回転方向を制御することで、ボールネジ１４を時計回り方向に回転或いは反時計回り方向に回転させ、その回転速度を制御できる。こうすると、ボールネジ１４に嵌設されたナットが平行移動できることで、載置具１８の平行移動、及びその平行移動の速度と方向を制御できる。これによって、レンズモジュール４０がレンズホルダーに取り付けられた時、その構成する後焦点面について、載置具１８の平行移動によりセンサーモジュール２２を後焦点面へ移動させることができる。調整速度は、コントロールモジュールでモータモジュール１２を制御する回転速度と回転方向、つまり外部のコントロールコマンドの内容によって決まる。
【００１７】
これ以外に、コネクタはセンサーモジュール２２とコントロールモジュールに電気的に接続し、画像センサーの信号とコントロールコマンドを伝送するために用いる。単一コネクタの設計を通じて、本考案の装置は、制御と信号の伝送を容易にさせることができる。
【００１８】
本考案は、ボールネジ１４とガイド軸１６を該基台１０の第１側辺１０１と該基台１０の第２側辺１０２の間に設けるため、載置具１８の伝動による前後移動が重心の原因により移動時にアンバランスとなり、前後に傾斜現象（即ち前後振動の状態）を発生させることで、センサーモジュール２２の後焦点面の結像に問題を発生させることがない。
【００１９】
載置具１８の左右傾斜現象の発生を防止するため、本考案の載置具１８は少なくとも１個の凹溝１８４ならびに少なくとも１本の支持棒２０を備え、該支持棒２０が凹溝１８４上に設けられ、載置具１８を移動させた時、センサーモジュール２２の左右傾斜を防止できることで、センサーモジュール２２の後焦点面の結像に問題が発生させることがない。
【００２０】
また、弾力的な補助具は筐体と載置具１８に固定され、載置具１８の定位補助に用いる。弾力補助器は、ばね類の弾性体で設計できる。
【００２１】
これ以外に、筐体と載置具１８の間の移動できる固定関係は、以下の設計方法を採用できる。例えば、筐体にガイドレール溝を設計し、また載置具１８にガイドレールを設計し、ガイドレールがガイドレール溝に嵌設されることで、載置具１８を固定すると共に載置具１８に平行移動を行わせることができる。
【００２２】
これ以外に、モータモジュール１２は、超小型モータとトランスミッションで構成することができる。モータモジュール１２は、従来技術の分野に属するため、当業者にとって容易に実施できるため、ここでの詳細な説明を省略する。
【００２３】
載置具１８を移動させるものとしては、載置具１８上に固設される移動部材１８３があり、前記実施例で言うとナットである。
【００２４】
図３を参照する。フィルタ３０は、該基台１０の前側に設けられ、且つフィルタ３０が赤外線フィルタ又は紫外線フィルタとすることができる。本考案では形態を問わず、いかなるフィルタでも実施できる。
【００２５】
図４を参照する。本考案は、センサーモジュール２２に運用され、該センサーモジュール２２をレンズモジュールからなる後焦点面の上に位置させるカメラ後焦点面の傾斜防止装置を別途提供する。該装置は、第１側辺１０１と第２側辺１０２とを備える基台１０と、基台１０の第１側辺１０１と基台１０の第２側辺１０２の間に設けられるボールネジ１４と、基台１０の第１側辺１０１と基台１０の第２側辺１０２の間に設けられるガイド軸１６と、ボールネジ１４の一端と結合し、コントロールコマンドを受けてボールネジ１４の回転方向と回転速度を制御するモータモジュール１２と、ボールネジ１４の上に取り付けられるスリーブ１８６と該ガイド軸１６の上に取り付けられる穴１８５とを備え、センサーモジュール２２をその上に固設することに用いられ、且つ基台１０上に平行移動できる載置具１８と、載置具１８のスリープ１８６内に固設され、モータモジュール１２が作動した時、ボールネジ１４と交互作用して載置具１８を平行移動させてセンサーモジュール２２とレンズモジュール４０の距離を調整する移動部材１８３と、を含む。
【００２６】
本考案の主な目的は、ボールネジ１４とガイド軸１６を基台１０の第１側辺１０１と基台１０の第２側辺１０２の間に設けることである。且つ載置具１８が、穴１８２とスリーブ１８１とを備え、載置具１８の穴１８２がボールネジ１４上に取り付けられ、載置具１８のスリーブ１８１をガイド軸１６に取り付けることで、載置具１８の重心のバランスが取れ、載置具１８のセンサーモジュール２２の前後傾斜を防止できる。
載置具１８は、少なくとも１個の凹溝１８４と少なくとも１本の支持棒２０とを含み、支持棒２０が凹溝１８４上に設けられ、載置具１８のセンサーモジュール２２の左右傾斜を防止できる。
よって本考案の目的は、３点或いは多点の支持を介して、載置具１８がセンサーモジュール２２とレンズモジュール４０の間に平行移動している時、起きた傾斜によりセンサーモジュール２２の結像に問題が発生することを防止できる。
【００２７】
本考案の技術的内容を、好ましい実施例として上記の通り開示した。しかし、このような実施例により本考案の保護範囲が限定されるべきものではなく、当業者は本考案の精神から離れることなく種々の変更及び改変を為し得、これらは、本考案の範囲に含められるのが勿論である。よって本考案の保護範囲は、本明細書に添付する実用新案登録請求の範囲で定義しているものを基準とする。
【符号の説明】
【００２８】
１０    基台
１０１  第１側辺
１０２  第２側辺
１２    モータモジュール
１４    ボールネジ
１６    ガイド軸
１８    載置具
１８１  スリーブ
１８２  穴
１８３  移動部材
１８４  凹溝
１８５  穴
１８６  スリーブ
２０    支持棒
２２    センサーモジュール
３０    フィルタ
４０    レンズモジュール
【図１】
0003193132.tif 000003
【図２】
0003193132.tif 000004
【図３】
0003193132.tif 000005
【図４】
0003193132.tif 000006